(57)【要約】【課題】段積みされた上段側容器に収容物があった場合に下段側容器の側壁部（の上端部及び上フランジ部）が外方へ開くことを抑止すると共に、類似した他の容器との段積みが可能な容器を提供すること。【解決手段】上下に段積み可能な容器１０は、長方形状の底壁部２０と、底壁部２０の各長辺２２，２２から上方へ延び出す長辺側側壁部３０と、長辺側側壁部３０の下端部から外方へ突設された第１下フランジ部５０と、長辺側側壁部３０の上端部から外方へ突設され、段積み時に上段側に位置する容器１０の第１下フランジ部５０の下面が載上される上フランジ部６０とを備える。第１下フランジ部５０は、第１下フランジ部５０の下面に設けられ、長辺側側壁部３０に近づくに連れて上方へ傾く傾斜部５４を備える。【選択図】図１
2018203281.tif 000002
【特許請求の範囲】
【請求項１】
上下に段積み可能な容器であって、
略矩形状の底壁部と、
前記底壁部の各辺から上方へ延び出す側壁部と、
前記側壁部の下端部から外方へ突設された下フランジ部と、
前記側壁部の上端部から外方へ突設され、前記段積み時に上段側容器の前記下フランジ部の下面が載上される上フランジ部とを備え、
前記下フランジ部は、該下フランジ部の前記下面に設けられ、前記側壁部に近づくに連れて上方へ傾く傾斜部を備えたことを特徴とする容器。
【請求項２】
前記傾斜部は、少なくとも前記側壁部の幅方向の中央領域に配設されたことを特徴とする請求項１に記載の容器。
【発明の詳細な説明】
【技術分野】
【０００１】
本発明は、上下に段積み可能な容器に関するものである。
【背景技術】
【０００２】
従来より、上下に段積み可能な容器に関し、種々の技術が提案されている。
【０００３】
例えば、下記特許文献１に記載のコンテナは、コンテナ本体の側壁に上部フランジと下部フランジとを突設してある。コンテナ本体は、例えば、硬質合成樹脂からなり、数個を段積したとき上方のコンテナ本体の底部が下方のコンテナ本体の開口部に嵌合する長方形の箱状のものを下記特許文献１に例示してある。上部フランジ及び下部フランジは、コンテナ本体を段積し易くしたり、それを補強するためのもので、上部フランジは側壁の上縁に、また、下部フランジは側壁の下縁にそれぞれ外方に突設してある。
【先行技術文献】
【特許文献】
【０００４】
【特許文献１】実公昭６４−４６８３号公報
【発明の概要】
【発明が解決しようとする課題】
【０００５】
上記特許文献１の図面によれば、下方に位置するコンテナの上部フランジに対して、上方に位置するコンテナの下部フランジが載上されることによって、コンテナの段積みが行われる。
【０００６】
しかしながら、コンテナの段積み時において、上方に位置するコンテナ内に収容物がある場合には、その収容物の重量によって、下方に位置するコンテナの側壁の上縁（上部フランジを含む）が外側へ開くような変形が起きることがあった。
【０００７】
そのような変形は、コンテナ本体の箱体が長尺状であるときに、長辺側の側壁において顕著に現れる傾向にある。
【０００８】
更に、そのような変形の対策としては、コンテナの段積み時に互いに係合する突起と孔等の係合構造を上部フランジと下部フランジとに設けることが考えられるが、例えば、コンテナの上部フランジに突起を上方に向けて設けた場合には、突起を設けたコンテナ（の上部フランジ）に対して、本コンテナに類似した他のコンテナ（の下部フランジ）を段積み（載上）することが困難なときがある。また、本コンテナと他のコンテナとの段積みが可能であっても、その段積み高さが本コンテナの突起分だけ高くなり、さらに、本コンテナの突起と他のコンテナの下部フランジとが接触することによって、本コンテナの突起又は他のコンテナの下部フランジが破損する虞がある。
【０００９】
そこで、本発明は、上述した点を鑑みてなされたものであり、段積みされた上段側容器に収容物があった場合に下段側容器の側壁部（の上端部及び上フランジ部）が外方へ開くことを抑止すると共に、類似した他の容器との段積みが可能な容器を提供することを課題とする。
【課題を解決するための手段】
【００１０】
この課題を解決するためになされた請求項１に係る発明は、上下に段積み可能な容器であって、略矩形状の底壁部と、底壁部の各辺から上方へ延び出す側壁部と、側壁部の下端部から外方へ突設された下フランジ部と、側壁部の上端部から外方へ突設され、段積み時に上段側容器の下フランジ部の下面が載上される上フランジ部とを備え、下フランジ部は、下フランジ部の下面に設けられ、側壁部に近づくに連れて上方へ傾く傾斜部を備えたことを特徴とする。
【００１１】
請求項２に係る発明は、請求項１に記載の容器であって、傾斜部は、少なくとも側壁部の幅方向の中央領域に配設されたことを特徴とする。
【発明の効果】
【００１２】
請求項１に係る発明の容器は、上下に段積み可能な容器であって、側壁部の下端部から外方へ突設された下フランジ部と、側壁部の上端部から外方へ突設され、段積み時に上段側容器の下フランジ部の下面が載上される上フランジ部とを備えている。つまり、段積み時には、上段側容器の下フランジ部の下面が、下段側容器の上フランジ部に載上される。従って、下段側容器の上フランジ部には、上段側容器の下フランジ部の下面を介して、上段側容器の荷重が作用する。
【００１３】
上段側容器の下フランジ部の下面には、側壁部に近づくに連れて上方へ傾く傾斜部が設けられている。その傾斜部によって、上段側容器の荷重は、下段側容器の上フランジ部に対して、上方向から下段側容器の側壁部に向かう方向（つまり、内方側に向かう方向）に作用する。そのため、下段側容器の上フランジ部（及び側壁部の上端部）が外方へ開くことはない。このようにして、請求項１に係る発明の容器は、段積みされた上段側容器に収容物があった場合に、下段側容器の側壁部（の上端部及び上フランジ部）が外方へ開くことを抑止する。
【００１４】
更に、請求項１に係る発明の容器は、段積み時に互いに係合するような突起と孔等の係合構造を、上フランジ部と下フランジ部とに設けていないので、当該容器に類似した他の容器との段積みが可能である。
【００１５】
請求項２に係る発明の容器では、傾斜部が、少なくとも側壁部の幅方向の中央領域に配設されている。その側壁部の幅方向の中央領域は、段積み時に側壁部が外方へ最も開き易い箇所である。そのため、請求項２に係る発明の容器は、段積みされた上段側容器に収容物があった場合に、下段側容器の側壁部（の上端部及び上フランジ部）が外方へ開くことを効率よく抑止する。
【図面の簡単な説明】
【００１６】
【図１】本発明の実施形態の容器が表された斜視図である。
【図２】同容器が上下逆さまの状態で表された斜視図である。
【図３】同容器が上下に段積みされた状態で表された斜視図である。
【図４】図３の線Ａ−Ａで同容器を切断した断面が表された図である。
【図５】図３の線Ｂ−Ｂで同容器を切断した断面が表された図である。
【図６】図５の部分Ｃが拡大して表された図である。
【発明を実施するための形態】
【００１７】
以下、本発明に係る容器について、具体化した本実施形態に基づき、図面を参照しつつ説明する。
【００１８】
（１）容器の概要
図１及び図２に表されたように、本実施形態の容器１０は、底壁部２０、長辺側側壁部３０、及び短辺側側壁部３２等を備えており、ポリプロピレン等の樹脂を材料とした金型成形によって、一面が開放された直方体状に形作られている。
【００１９】
尚、図１及び図２において、符号Ｄ１の方向は、上下方向（つまり、容器１０の高さ方向）を示している。符号Ｄ２の方向は、底壁部２０及び長辺側側壁部３０の幅方向を示している。符号Ｄ３の方向は、短辺側側壁部３２の幅方向を示している。各方向Ｄ１，Ｄ２，Ｄ３は、互いに直交する関係にある。これらの点は、後述する図３乃至図６においても、同様である。
【００２０】
底壁部２０は、長方形状をなし、相対する一対の長辺２２と、相対する一対の短辺２４とを有している。底壁部２０の各長辺２２からは、長辺側側壁部３０が上方向にそれぞれ延出している。底壁部２０の各短辺２４からは、短辺側側壁部３２が上方向にそれぞれ延出している。底壁部２０の上方には、長辺側側壁部３０の上端部及び短辺側側壁部３２の上端部によって、開口部４０が形成されている。
【００２１】
各長辺側側壁部３０の下端部（であって、後述する長辺側側壁部３０の幅方向Ｄ２の第２中央領域Ｗ２）からは、底壁部２０の反対側である外方へ向かって、相対する一対の第１下フランジ部５０が突出している。各短辺側側壁部３２の下端部から各長辺側側壁部３０の下端部の隅部にかけては、底壁部２０の反対側である外方へ向かって、相対する一対の第２下フランジ部５２が突出している。各第１下フランジ部５０の下面は、長辺側側壁部３０に近づくに連れて上方へ傾く面（以下、「傾斜部５４」と記載する。）に形作られている。これに対して、各第２下フランジ部５２の下面は、長辺側側壁部３０の幅方向Ｄ２及び短辺側側壁部３２の幅方向Ｄ３に平行な面に形作られている。
【００２２】
各長辺側側壁部３０の上端部及び各短辺側側壁部３２の上端部からは、開口部４０の反対側である外方へ向かって、上フランジ部６０が突出している。上フランジ部６０は、開口部４０の全周に沿って一体的に設けられている。上フランジ部６０の上面は、長辺側側壁部３０の幅方向Ｄ２の第１中央領域Ｗ１を除いて、長辺側側壁部３０の幅方向Ｄ２及び短辺側側壁部３２の幅方向Ｄ３に平行な面に形作られている。
【００２３】
これに対して、長辺側側壁部３０の幅方向Ｄ２の第１中央領域Ｗ１においては、相対する一対の傾斜部６２が上フランジ部６０の上面に設けられている。各傾斜部６２は、長辺側側壁部３０に近づくに連れて上方へ傾いている。更に、長辺側側壁部３０の幅方向Ｄ２の第２中央領域Ｗ２においては、上述した第１下フランジ部５０の傾斜部５４が設けられている。長辺側側壁部３０の幅方向Ｄ２では、第２中央領域Ｗ２が第１中央領域Ｗ１に含まれている。
【００２４】
また、一対の第２下フランジ部５２のうち、第２下フランジ部５２の一方の端部と第１下フランジ部５０の端部との間には、長辺側側壁部３０の幅方向Ｄ２において、フランジが存在しない第１中間領域Ｗ３が設けられ、第２下フランジ部５２の他方の端部と第１下フランジ部５０の端部との間には、長辺側側壁部３０の幅方向Ｄ２において、フランジが存在しない第２中間領域Ｗ４が設けられている。
【００２５】
本実施形態では、長辺側側壁部３０の幅方向Ｄ２において、第１中間領域Ｗ３及び第２中間領域Ｗ４の距離は等しいが、その距離は等しくなくてもよい。また、長辺側側壁部３０の幅方向Ｄ２において、第１中央領域Ｗ１は、第２中央領域Ｗ２を含むが、第１中間領域Ｗ３及び第２中間領域Ｗ４を含んでも含まなくてもよい。
【００２６】
長辺側側壁部３０及び短辺側側壁部３２の外側面には、上フランジ部６０と第１下フランジ部５０との間、及び上フランジ部６０と第２下フランジ部５２との間において、縦リブ部７０及び横リブ部７２が設けられている。縦リブ部７０及び横リブ部７２によって、複数の取手部７４が形成されている。取手部７４は、作業者の手が掛けられる持ち手部分であり、長辺側側壁部３０の幅方向Ｄ２の第１中間領域Ｗ３及び第２中間領域Ｗ４と、短辺側側壁部３２の幅方向Ｄ３の中央とに配設されている。
【００２７】
図２に表されたように、底壁部２０の下面には、格子リブ部７６と外周リブ部８０とが設けられている。外周リブ部８０は、底壁部２０の外縁（つまり、図１に表された各長辺２２及び各短辺２４）から下方（図２では、紙面の上方）へ延び出しており、格子リブ部７６を取り囲んでいる。外周リブ部８０には、底壁部２０の幅方向Ｄ２の中央領域Ｗ５において、相対する一対の面取り部８２が設けられる。これによって、面取り部８２が底壁部２０の四隅２６を除いて設けられる一方で、外周リブ部８０が底壁部２０の四隅２６に設けられる。各面取り部８２においては、Ｒ面加工又はＣ面加工によって設けられた曲面が、格子リブ部７６の反対側である外周リブ部８０の外方側を向いている。
【００２８】
本実施形態では、底壁部２０の幅方向Ｄ２の中央領域Ｗ５は、上下方向Ｄ１から見ると、上述した長辺側側壁部３０の幅方向Ｄ２の第１中央領域Ｗ１と一致するが、そのように一致しなくてもよい。尚、一致しない場合とは、例えば、底壁部２０及び長辺側側壁部３０の幅方向Ｄ２において、上下方向Ｄ１から見て、中央領域Ｗ５と第１中央領域Ｗ１とがずれているケース、中央領域Ｗ５が第１中央領域Ｗ１に含まれるケース、又は第１中央領域Ｗ１が中央領域Ｗ５に含まれるケース等がある。
【００２９】
（２）段積み時の容器の構成
本実施形態の容器１０は、上下に段積み可能である。以下の説明では、段積み時の下段側容器と上段側容器とについて、上記容器１０と実質的に共通する部分には同一の符号を付することによって、詳しい説明を省略する。更に、下段側容器に関する符号には英文字の「Ａ」を添付し、上段側容器に関する符号には英文字の「Ｂ」を添付する。
【００３０】
段積み時においては、図３乃至図６に表されたように、下段側容器１０Ａの上フランジ部６０Ａの上面に対して、上段側容器１０Ｂの第１下フランジ部５０Ｂの下面と第２下フランジ部５２Ｂの下面とが載せられる。また、図４乃至図６に表されたように、上段側容器１０Ｂの底壁部２０Ｂに設けられた格子リブ部７６Ｂ及び外周リブ部８０Ｂが、下段側容器１０Ａの開口部４０Ａに装入される。更に、図５及び図６に表されたように、上段側容器１０Ｂの外周リブ部８０Ｂに設けられた面取り部８２Ｂが、下段側容器１０Ａの開口部４０Ａに装入される。
【００３１】
その装入中は、上段側容器１０Ｂの面取り部８２Ｂの曲面が、下段側容器１０Ａの長辺側側壁部３０Ａの内壁３４Ａに向いた状態となる。
【００３２】
その装入後は、上段側容器１０Ｂの外周リブ部８０Ｂと面取り部８２Ｂの曲面とが、僅かな間隔を置いて、下段側容器１０Ａの長辺側側壁部３０Ａの内壁３４Ａと向かい合った状態になる。図示はしないが、上段側容器１０Ｂの外周リブ部８０Ｂは、下段側容器１０Ａの短辺側側壁部の内壁に対しても、同様な状態になる。これによって、上段側容器１０Ｂの外周リブ部８０Ｂは、上段側容器１０Ｂが下段側容器１０Ａに段積みされる際において、上段側容器１０Ｂの位置決めで使用される部分として働く。
【００３３】
上段側容器１０Ｂが下段側容器１０Ａに段積みされると、図４に表されたように、下段側容器１０Ａの上フランジ部６０Ａの上面には、上段側容器１０Ｂの長辺側側壁部３０Ｂ等に設けられた第２下フランジ部５２Ｂの下面が載せられる。その際、下段側容器１０Ａの上フランジ部６０Ａの上面と上段側容器１０Ｂの第２下フランジ部５２Ｂの下面は、上下方向Ｄ１と直交する方向Ｄ２及び方向Ｄ３に平行な面に形作られているので、下段側容器１０Ａの上フランジ部６０Ａの上面と上段側容器１０Ｂの第２下フランジ部５２Ｂの下面との接触面は、上下方向Ｄ１とは直交する方向Ｄ３と平行な状態にある。
【００３４】
更に、図５及び図６に表されたように、下段側容器１０Ａの上フランジ部６０Ａの上面には、上段側容器１０Ｂの長辺側側壁部３０Ｂに設けられた第１下フランジ部５０Ｂの下面が載せられる。その際、図６に表されたように、下段側容器１０Ａの上フランジ部６０Ａの傾斜部６２Ａに対して、上段側容器１０Ｂの第１下フランジ部５０Ｂの傾斜部５４Ｂが載せられる。それらの傾斜部５４Ｂ，６２Ａによって、下段側容器１０Ａの上フランジ部６０Ａの上面と上段側容器１０Ｂの第１下フランジ部５０Ｂの下面との接触面は、下段側容器１０Ａの長辺側側壁部３０Ａ及び上段側容器１０Ｂの長辺側側壁部３０Ｂに近づくに連れて上方へ傾いた状態にある。
【００３５】
そのため、上段側容器１０Ｂ（及びその収容物）の荷重は、下段側容器１０Ａの上フランジ部６０Ａの上面に対して、上下方向Ｄ１の上方向から下段側容器１０Ａの長辺側側壁部３０Ａへ傾いた方向の力Ｆとして作用する。
【００３６】
この点は、傾斜部６２Ａが下段側容器１０Ａの上フランジ部６０Ａに設けられていない場合であっても、同様である。つまり、下段側容器１０Ａの上フランジ部６０Ａの上面全域が、上下方向Ｄ１と直交する方向Ｄ３と平行である場合であっても、上段側容器１０Ｂの第１下フランジ部５０Ｂの傾斜部５４Ｂが長辺側側壁部３０Ｂに近づくに連れて上方へ傾いているので、上段側容器１０Ｂ（及びその収容物）の荷重は、下段側容器１０Ａの上フランジ部６０Ａの上面に対して、上下方向Ｄ１の上方向から下段側容器１０Ａの長辺側側壁部３０Ａへ傾いた方向の力Ｆとして作用する。
【００３７】
尚、図４及び図５において、符号４０Ｂは、上段側容器１０Ｂの開口部を示している。符号６０Ｂは、上段側容器１０Ｂの上フランジ部を示している。図５において、符号６２Ｂは、上段側容器１０Ｂの上フランジ部６０Ｂの傾斜部を示している。
【００３８】
（３）まとめ
以上詳細に説明した通り、本実施形態の容器１０は、上下に段積み可能な容器であって、長辺側側壁部３０の下端部から外方へ突設された第１下フランジ部５０と、長辺側側壁部３０の上端部から外方へ突設され、段積み時に上段側容器１０Ｂの第１下フランジ部５０Ｂの下面が載上される上フランジ部６０とを備えている。つまり、段積み時には、上段側容器１０Ｂの第１下フランジ部５０Ｂの下面が、下段側容器１０Ａの上フランジ部６０Ａの上面に載上される。従って、下段側容器１０Ａの上フランジ部６０Ａの上面には、上段側容器１０Ｂの第１下フランジ部５０Ｂの下面を介して、上段側容器１０Ｂの荷重が作用する。
【００３９】
上段側容器１０Ｂの第１下フランジ部５０Ｂの下面には、長辺側側壁部３０Ｂに近づくに連れて上方へ傾く傾斜部５４Ｂが設けられている。その傾斜部５４Ｂによって、上段側容器１０Ｂの荷重は、下段側容器１０Ａの上フランジ部６０Ａの上面に対して、上下方向Ｄ１の上方向から下段側容器１０Ａの長辺側側壁部３０Ａに向かう方向（つまり、下段側容器１０Ａの内方側に向かう方向）の力Ｆとして作用する。そのため、下段側容器１０Ａの上フランジ部６０Ａ（及び長辺側側壁部３０Ａの上端部）が、外方（つまり、下段側容器１０Ａの開口部４０Ａの反対側）へ開くことはない。このようにして、本実施形態の容器１０は、段積みされた上段側容器１０Ｂに収容物があった場合に、下段側容器１０Ａの長辺側側壁部３０Ａ（の上端部及び上フランジ部６０Ａ）が外方へ開くことを抑止する。
【００４０】
更に、本実施形態の容器１０は、段積み時に互いに係合するような突起と孔等の係合構造を、上フランジ部６０、第１下フランジ部５０、及び第２下フランジ部５２に設けていないので、当該容器１０に類似した他の容器との段積みが可能である。
【００４１】
本実施形態の容器１０では、第１下フランジ部５０の傾斜部５４が、長辺側側壁部３０の幅方向Ｄ２の第２中央領域Ｗ２に配設されている。長辺側側壁部３０の幅方向Ｄ２の第２中央領域Ｗ２は、段積み時に長辺側側壁部３０が外方（つまり、開口部４０の反対側）へ最も開き易い箇所である。そのため、本実施形態の容器１０は、段積みされた上段側容器１０Ｂに収容物があった場合に、下段側容器１０Ａの長辺側側壁部３０Ａ（の上端部及び上フランジ部６０Ａ）が外方へ開くことを効率よく抑止する。
【００４２】
本実施形態の容器１０は、少なくとも底壁部２０の四隅２６において、底壁部２０の各長辺２２及び各短辺２４から下方へ延び出した外周リブ部８０を備えている。これによって、剛性が確保され、収容物の荷重による底壁部２０の変形を抑止している。そのため、本実施形態の容器１０は、段積みされた時でも、収容物の荷重を好適に支えることが可能である。
【００４３】
更に、本実施形態の容器１０では、外周リブ部８０及び外周リブ部８０の外方側に曲面が設けられた面取り部８２が、底壁部２０の幅方向Ｄ２の中央領域Ｗ５に配設されている。従って、段積み時には、上段側容器１０Ｂの外周リブ部８０Ｂが下段側容器１０Ａの長辺側側壁部３０Ａの内壁３４Ａに対向することによって、当該段積み時の位置決めがなされる。また、段積み中には、上段側容器１０Ｂの面取り部８２Ｂの曲面が、底壁部２０の幅方向Ｄ２の中央領域Ｗ５において、下段側容器１０Ａの長辺側側壁部３０Ａの内壁３４Ａに対向することによって、上段側容器１０Ｂの段積みが案内される。そのため、本実施形態の容器１０では、段積みをスムーズに行うことが可能である。
【００４４】
ちなみに、本実施形態において、各長辺２２，２２は、「各辺」の一例である。長辺側側壁部３０は、「側壁部」の一例である。下段側容器１０Ａの長辺側側壁部３０Ａの内壁３４Ａは、「内壁」の一例である。第１下フランジ部５０は、「下フランジ部」の一例である。第１下フランジ部５０の傾斜部５４は、「傾斜部」の一例である。長辺側側壁部３０の幅方向Ｄ２の第２中央領域Ｗ２は、「側壁部の幅方向の中央領域」の一例である。
【００４５】
（４）変更例
尚、本発明は上記実施形態に限定されるものでなく、その趣旨を逸脱しない範囲で様々な変更が可能である。
例えば、傾斜部５４が設けられた第１下フランジ部５０は、長辺側側壁部３０の幅方向Ｄ２の第２中央領域Ｗ２よりも広い領域（具体的には、長辺側側壁部３０の幅方向Ｄ２の全域等）に及んで設けられてもよいし、底壁部２０の全周に沿って一体的に設けられてもよい。但し、後者のケースでは、第２下フランジ部５２は省かれる。
【００４６】
第２下フランジ部５２の下面は、第１下フランジ部５０の傾斜部５４と同様な傾斜面（つまり、短辺側側壁部３２に近づくに連れて上方へ傾く面）に形作られてもよい。
【００４７】
上フランジ部６０の傾斜部６２は、上フランジ部６０の上面全域に渡って設けられてもよい。
【００４８】
あるいは、第１下フランジ部５０の下面に傾斜部５４が設けられていれば、上フランジ部６０の上面に傾斜部６２が設けられなくてもよい。逆に、上フランジ部６０の上面に傾斜部６２が設けられていれば、第１下フランジ部５０の下面に傾斜部５４が設けられなくてもよい。
【００４９】
面取り部８２は、底壁部２０の四隅２６を除けば、底壁部２０の幅方向Ｄ２の中央領域Ｗ５よりも広い領域に設けられてもよい。あるいは、面取り部８２は、少なくとも底壁部２０の幅方向Ｄ２の中央にあれば、中央領域Ｗ５よりも狭い領域に設けられてもよい。この場合には、面取り部８２が設けられていない外周リブ部８０は、中央領域Ｗ５の両端部内に存在する。また、面取り部８２は、底壁部２０の幅方向Ｄ２とは直交する方向Ｄ３において、つまり、長方形状の底壁部２０の短手方向の中央において設けられてもよい。
【００５０】
本実施形態の容器１０は、直方体状に形作られているが、立方体状に形作られてもよい。
【００５１】
本実施形態の容器１０は、直方体状に形作られている場合には、底壁部２０の下面において、短辺側側壁部３２の幅方向Ｄ３（つまり、底壁部２０の短辺２４）に平行な切欠溝が設けられてもよい。底壁部２０の切欠溝は、長辺側側壁部３０の幅方向Ｄ２において、底壁部２０の短辺２４から短辺側側壁部３２の幅（底壁部２０の長辺２２，２２の間に相当する距離）毎に設けられる。
【００５２】
このような変形例では、下段側容器１０Ａ（の長辺側側壁部３０Ａ）と上段側容器１０Ｂ（の長辺側側壁部３０Ｂ）とが直交したクロス状態にあるときに、下段側容器１０Ａの長辺側側壁部３０Ａの上端部に対して上段側容器１０Ｂの底壁部２０Ｂの切欠溝が嵌め込まれることによって、下段側容器１０Ａと上段側容器１０Ｂとを上下に段積みすることが可能である。
【００５３】
そのようにして、下段側容器１０Ａと上段側容器１０Ｂとが直交したクロス状態で上下に段積みされた場合には、上段側容器１０Ｂの短辺側側壁部が、下段側容器１０Ａの長辺側側壁部３０Ａに載置される。つまり、上段側容器１０Ｂの短辺側側壁部から突出した第２下フランジ部５２Ｂの下面が、下段側容器１０Ａの長辺側側壁部３０Ａから突出した上フランジ部６０Ａの上面に載せられる。そのため、容器１０の第２下フランジ部５２の下面が、第１下フランジ部５０の傾斜部５４と同様な傾斜面（つまり、容器１０の短辺側側壁部３２に近づくに連れて上方へ傾く面）に形作られていれば、下段側容器１０Ａの長辺側側壁部３０Ａ（の上端部及び上フランジ部６０Ａ）が外方へ開くことを抑止することが可能である。
【００５４】
さらに、容器１０の上フランジ部６０の上面において、傾斜部６２が長辺側側壁部３０の幅方向Ｄ２の全域に渡って設けられていれば、上段側容器１０Ｂの第２下フランジ部５２Ｂの傾斜面が、下段側容器１０Ａの上フランジ部６０Ａの傾斜部６２Ａに必ず載置されるので、下段側容器１０Ａの長辺側側壁部３０Ａ（の上端部及び上フランジ部６０Ａ）が外方へ開くことを一層抑止することが可能である。
【００５５】
尚、このような変形例では、上記実施形態と同様にして、上段側容器１０Ｂ及び下段側容器１０Ａが同じ向きの状態で上下に段積みされることは可能であり、上段側容器１０Ｂ又は下段側容器１０Ａが上下方向Ｄ１を中心にして１８０度回転した状態でも、上下に段積みされることは可能である。
【符号の説明】
【００５６】
１０    容器
１０Ａ  下段側容器
１０Ｂ  上段側容器
２０    底壁部
２２    長辺
２６    四隅
３０    長辺側側壁部
３４Ａ  下段側容器の長辺側側壁部の内壁
５０    第１下フランジ部
５４    第１下フランジ部の傾斜部
６０    上フランジ部
８０    外周リブ部
８２    面取り部
Ｄ１    上下方向
Ｄ２    底壁部及び長辺側側壁部の幅方向
Ｗ２    長辺側側壁部の幅方向の第２中央領域
Ｗ５    底壁部の幅方向の中央領域
【図１】
2018203281.tif 000003
【図２】
2018203281.tif 000004
【図３】
2018203281.tif 000005
【図４】
2018203281.tif 000006
【図５】
2018203281.tif 000007
【図６】
2018203281.tif 000008